(57)【特許請求の範囲】
【請求項１】
建築壁に開口しているエレベータ乗場穴の前に配置されるエレベータ乗場三方枠の一部を構成し、建築壁に固定されるつなぎ板が取付けられる取付け板を備える縦枠において、
前記取付け板は、
前記建築壁を化粧する建築壁仕上げの側面に所定の隙間を介して対向して配置され、
前記建築壁仕上げの側面に対向している面の裏面を前記つなぎ板の取付け面とし、
前記取付け面に前記つなぎ板が挿入される開口部が設けられていることを特徴とするエレベータ乗場三方枠の縦枠。
【請求項２】
前記取付け板は、
前記取付け板の一部に切り込みを入れ当該切り込み部分を前記取付け面の方向に突き出して成形した略コの字形状のはずれ止め部を備え、
前記はずれ止め部の背部の開口を前記開口部とすることを特徴とする請求項１に記載のエレベータ乗場三方枠の縦枠。
【請求項３】
前記エレベータ乗場三方枠の縦枠は、
端部が略凸形状の板を前記つなぎ板とし、
前記つなぎ板の前記略凸形状における幅狭部分が前記開口部に挿入されることを特徴とする請求項２に記載のエレベータ乗場三方枠の縦枠。
【請求項４】
前記取付け板は、
前記取付け板の一部に切り込みを入れ当該切り込み部分を前記取付け面の方向に突き出して成形した略Ｌ字形状のはずれ止め部を相互に対向する位置に少なくとも２つ備え、
それぞれのはずれ止め部の背部の開口を前記開口部とすることを特徴とする請求項１に記載のエレベータ乗場三方枠の縦枠。
【請求項５】
前記エレベータ乗場三方枠の縦枠は、
略凹形状の切り欠き部を有する板を、前記つなぎ板とし、
前記つなぎ板の前記切り欠き部がいずれかのはずれ止め部にはめ込まれることを特徴とする請求項４に記載のエレベータ乗場三方枠の縦枠。
【請求項６】
前記エレベータ乗場三方枠の縦枠は、
穴を有する板を前記つなぎ板とし、
前記取付け板は、
前記つなぎ板が前記開口部に挿入された際に前記つなぎ板の穴と重なる位置に突起を備え、前記つなぎ板が前記開口部に挿入された際に前記突起が前記つなぎ板の穴にはめ込まれることを特徴とする請求項１〜５のいずれかに記載のエレベータ乗場三方枠の縦枠。
【請求項７】
建築壁に開口しているエレベータ乗場穴の前に配置されるエレベータ乗場三方枠の一部を構成し、建築壁に固定されるつなぎ板が取付けられる取付け板を備える縦枠において、
端部が略Ｊ字形状の板を前記つなぎ板とし、
前記取付け板は、
前記建築壁を化粧する建築壁仕上げの側面に所定の隙間を介して対向して配置され、
端部が略Ｊ字形状であり、略Ｊ字形状の端部が、前記つなぎ板の略Ｊ字形状の端部とはめ合わされ、
前記略Ｊ形状における先端部分及び谷間部分が前記建築壁仕上げの反対側に配置されていることを特徴とするエレベータ乗場三方枠の縦枠。
【請求項８】
前記取付け板は、
端部の略Ｊ字形状における先端部分が、前記つなぎ板の端部の略Ｊ字形状における谷間部分にはめ込まれ、
端部の略Ｊ字形状における谷間部分に、前記つなぎ板の端部の略Ｊ字形状における先端部分がはめ込まれることを特徴とする請求項７に記載のエレベータ乗場三方枠の縦枠。
【請求項９】
建築壁に開口しているエレベータ乗場穴の前に配置されるエレベータ乗場三方枠の一部を構成し、建築壁に固定されるつなぎ板が取付けられる取付け板を備える縦枠において、
穴を有する板を前記つなぎ板とし、
前記取付け板は、
前記建築壁を化粧する建築壁仕上げの側面に所定の隙間を介して対向して配置され、
端部の一部に切り込みを入れ当該切り込み部分を前記建築壁仕上げの側面に対向している面の裏面の方向に突き出して成形した略Ｌ字形状のはずれ止め部を備え、前記はずれ止め部の先端に爪を備え、
前記つなぎ板の端部が前記はずれ止め部の背部の開口に挿入された際に、前記爪が前記つなぎ板の穴に挿入され前記爪が前記つなぎ板の穴から抜けない方向に曲げられることにより前記取付け板と前記つなぎ板とが固定されることを特徴とするエレベータ乗場三方枠の縦枠。
【請求項１０】
建築壁に開口しているエレベータ乗場穴の前に配置されるエレベータ乗場三方枠の一部を構成し、建築壁に固定されるつなぎ板が取付けられる取付け板を備える縦枠において、
穴を有する板を前記つなぎ板とし、
前記取付け板は、
前記建築壁を化粧する建築壁仕上げの側面に所定の隙間を介して対向して配置され、
前記建築壁仕上げの側面に対向している面の裏面を前記つなぎ板の取付け面とし、
前記取付け面に突起している爪を備え、
前記つなぎ板の端部が前記取付け面に配置された際に、前記爪が前記つなぎ板の穴に挿入され前記爪が前記つなぎ板の穴から抜けない方向に曲げられることにより前記取付け板と前記つなぎ板とが固定されることを特徴とするエレベータ乗場三方枠の縦枠。
【請求項１１】
建築壁に開口しているエレベータ乗場穴の前に配置されるエレベータ乗場三方枠の一部を構成し、建築壁に固定されるつなぎ板と、前記つなぎ板が取付けられる取付け板を備える縦枠において、
前記取付け板は、
端部に前記つなぎ板とはめ合わせるための取付け板側はめ合わせ部を備え、
前記つなぎ板は、
前記取付け板側はめ合わせ部とはめ合わせるためのつなぎ板側はめ合わせ部を備え、更に、前記つなぎ板側はめ合わせ部と前記取付け板側はめ合わせ部がはめ合わされた際に、前記取付け板の方向に曲げられると前記取付け板の端部に当接する位置に配置されている爪を備え、
前記取付け板側はめ合わせ部と前記つなぎ板側はめ合わせ部がはめ合わされた際に、前記取付け板の方向に曲げられた爪が前記取付け板の端部に当接し、前記取付け板の端部が前記つなぎ板側はめ合わせ部と前記爪により挟み込まれ、前記取付け板と前記つなぎ板とが固定され、
前記取付け板は、
前記建築壁を化粧する建築壁仕上げの側面に所定の隙間を介して対向して配置され、
前記取付け板と前記つなぎ板は、前記取付け板の前記建築壁仕上げの側面に対向している面の裏面においてはめ合わされ、
前記つなぎ板の爪は、前記建築壁仕上げの側面に向けて曲げられることを特徴とするエレベータ乗場三方枠の縦枠。
【請求項１２】
前記取付け板は、
略Ｊ字形状の取付け板側はめ合わせ部を備え、
前記つなぎ板は、
端部に略Ｊ字形状のつなぎ板側はめ合わせ部を備え、前記端部を上とした場合に略凹形状となる切欠きを備え、前記略凹形状の切欠きにおける中間の突出部分を前記爪とし、
前記取付け板側はめ合わせ部の略Ｊ字形状における谷間部分に前記つなぎ板側はめ合わせ部の略Ｊ字形状における先端部分がはめ込まれ、前記取付け板側はめ合わせ部の略Ｊ字形状における先端部分が前記つなぎ板側はめ合わせ部の略Ｊ字形状における谷間部分にはめ込まれ、略Ｊ字形状のつなぎ板側はめ合わせ部と曲げられた爪が、略Ｊ字形状の取付け板側はめ合わせ部を挟み込むことを特徴とする特徴とする請求項１１に記載のエレベータ乗場三方枠の縦枠。
【請求項１３】
前記取付け板は、
略レの字形状の取付け板側はめ合わせ部を備え、
前記つなぎ板は、
前記取付け板に接する端部を上とした場合に略逆凹形状となる切欠きを備え、前記略逆凹形状の切欠きにおける上面（凹形状における底面）をつなぎ板側はめ合わせ部とし、前記略逆凹形状の切欠きにおける中間の突出部分を前記爪とし、
前記取付け板側はめ合わせ部の略レの字形状における谷間部分に前記つなぎ板側はめ合わせ部がはめ込まれ、前記つなぎ板側はめ合わせ部と曲げられた爪が、略レの字形状の取付け板側はめ合わせ部を挟み込むことを特徴とする特徴とする請求項１１に記載のエレベータ乗場三方枠の縦枠。
【発明の詳細な説明】
【技術分野】
【０００１】
本発明は、建築壁に開口しているエレベータ乗場穴の前に配置されるエレベータ乗場三方枠（以下、単に三方枠ともいう）の構成に関する。
【背景技術】
【０００２】
図２３〜図２７は従来のエレベータ乗場三方枠を示す図であり、三方枠は以下の様な構成となっている。
１は、建築壁である。
２は、建築壁１において乗場から昇降路に貫通されて形成された乗場穴である。
１３は、乗場穴２内に配置されゲート状に形成された三方枠である。
三方枠１３は、乗場の床面とともに乗場出入口を形成する。
三方枠１３は、乗場出入口の両側に配置される２つの縦枠３と、この縦枠３の各上端部間に渡って設けられ、乗場出入口の上方に配置される上枠とから構成されている。
三方枠１３の縦枠３の横断面は溝状に形成され、この溝を横切るつなぎ板４が固定されている。
つなぎ板４が取付けられる縦枠３の側板を取付け板３ｂと呼ぶ。
【０００３】
５は、建築壁１内の鉄筋で、つなぎ板４は鉄筋の端材６によって鉄筋５に溶接固定されている。
つなり板４は、三方枠１３を建屋部材に端材６を利用して溶接する場合に三方枠１３に熱が伝わりにくいため、補強と断熱の両面の効果から利用されている。
縦枠３の外側には、建築壁１を化粧するための建築壁仕上げ７があり、縦枠３の取付け板３ｂとの間には仕上げ作業を可能とする程度の隙間を有した状態でエレベータの出入口が形成される。
【０００４】
エレベータの出入りロが上記のように形成されるため、縦枠３の取付け板３ｂより出っ張るような突起物があると、建築壁仕上げ７を施工する際、建築壁仕上げ７はボード張りのようなケ一スが多く、ボードが割れる、欠けるなどの不具合が生じやすい。
上記より、従来の三方枠では、縦枠３とつなぎ板４の締結に関し、縦枠３の取付け板３ｂより出っ張らない、突起物の無い方法が必要であり、具体的には、溶接や皿ネジ、または出っ張りが極力少なくなるようなヘンロブリベット８などを選択する必要があった（例えば、特許文献１）。
【特許文献１】特開平２−３０５７９３号公報（図５）
【発明の開示】
【発明が解決しようとする課題】
【０００５】
上記の三方枠においては、溶接等ではひずみ取り、仕上げ等の作業が必要となり作業効率が悪いという課題がある。
また、皿ネジ等では穴加工に皿取りが必要、またヘンロブリベットでは専用型が必要であり、工作設備を必要とするなど、労力およびコストがかかる、工作方法としての制約などの課題があった。
【０００６】
この発明は、上記のような課題を解決することを主な目的の一つとしており、縦枠とつなぎ板との締結による側面の出っ張りを無くすとともに、溶接などの作業を不要とし、作業性が高い三方枠の構成を得ることを主な目的とする。
【課題を解決するための手段】
【０００７】
本発明に係るエレベータ乗場三方枠の縦枠は、
建築壁に開口しているエレベータ乗場穴の前に配置されるエレベータ乗場三方枠の一部を構成し、建築壁に固定されるつなぎ板が取付けられる取付け板を備える縦枠において、
前記つなぎ板が挿入される開口部が前記取付け板に設けられていることを特徴とする。
【発明の効果】
【０００８】
本発明によれば、縦枠とつなぎ板との取付け箇所に出っ張りを生じさせず、また、溶接などの作業が不要となり、専用の工作設備が不要なため、工作方法の制約を無くすことができ、更に、つなぎ板取付け時の位置あわせが容易になり、作業性の向上を図ることができる。
【発明を実施するための最良の形態】
【０００９】
実施の形態１．
図１〜２は、本実施の形態に係るエレベータ乗場三方枠の例を示す。
図１は、三方枠１３の縦枠３及びつなぎ板９との取付け部分を上方又は下方から見た際の概略断面図である。
図２は、三方枠１３の縦枠３及びつなぎ板９との取付け部分を斜め後方（建築壁仕上げ７の側）から見た際の概略斜視図である。
【００１０】
図１及び図２に示すように、縦枠３は、つなぎ板９が取付けられる取付け板３ｂを備え、取付け板３ｂには、つなぎ板９が取付けられる取付け面３ｄがある。
取付け板３ｂは、建築壁１を化粧する建築壁仕上げ７の側面に所定の隙間を介して対向して配置され、取付け板３ｂの建築壁仕上げ７の側面に対向している面の裏面を取付け面３ｄとしている。
そして、この取付け面３ｄに開口部１１が設けられている。
開口部１１の開口幅はつなぎ板９の幅より若干広く、開口厚みはつなぎ板９の板厚と同じとすることで、つなぎ板９を開口部１１に挿入するだけではずれ止め部１４ａによりつなぎ板９の固定（位置ずれしない程度）が可能である。
【００１１】
開口部１１は、例えば、図２１（ａ）及び（ｂ）に示すように、取付け板３ｂの取付け面３ｄ側に切り込みを入れ、当該切り込み部分を取付け面３ｄの方向に突き出して成形する。
そして、突き出された略コの字形状の部分がはずれ止め部１４ａとなり、はずれ止め部１４ａの背部の開口が開口部１１となる。
【００１２】
開口部１１につなぎ板９を挿入する構造とすることで、従来例と比較して高さ方向の位置合わせも容易である。
また、つなぎ板９端部を縦枠内側に当てる構造とすることで、縦枠幅方向の位置合わせも容易となる。
つなぎ板９の固定に関して、図１及び図２に示す端の反対側（昇降路側）の端については、従来例どおり溶接も可能であるし、つなぎ板９と縦枠３双方に固定用穴を設けることでリベット固定も可能である。
【００１３】
なお、本実施の形態に示した内容は、縦枠形状の種類（角形、末広形、カーブ形等）に関わらず実施可能である。
また、縦枠３とつなぎ板９の締結（昇降路側）は、リベットを代表例として記載したが、ネジなどの締結部品であれば何でもよい。
【００１４】
上記のように縦枠を構成することで、縦枠とつなぎ板との締結による側面の出っ張り部を無くすことを可能とすると同時に、溶接などの作業を不要とし、労力、コストを抑えることが可能である。
また、専用の工作設備が不要なため、工作方法の制約が無くなるなどのメリットがある。
また、縦枠に開口部を設けることで、つなぎ板締結時の位置あわせが可能であり、作業性向上を図ることが可能である。
【００１５】
実施の形態２．
図３〜４は、本実施の形態に係るエレベータ乗場三方枠の例を示す。
図３は、三方枠１３の縦枠３及びつなぎ板９との取付け部分を斜め後方（建築壁仕上げ７側）から見た際の概略斜視図である。
図４は、本実施の形態に係るつなぎ板９の構成を示す。
【００１６】
つなぎ板９において、９ａ、９ｂはつなぎ板段付き部である。
本実施の形態では、つなぎ板段付き部９ａ、９ｂにより、つなぎ板９の端部（乗場側）を略凸形状とし、つなぎ板９端部の略凸形状における幅狭部分が開口部１１に挿入される。
【００１７】
実施の形態１の三方枠と比較し、つなぎ板９の乗場側の端部につなぎ板段付き部９ａ、９ｂを設けることで、つなぎ板９の回転方向の位置ずれを防止することが可能となる。
また、枠幅方向の位置合わせを容易にすることが可能となる。
また、つなぎ板の幅を変化させることが可能であり、剛性確保、建築壁との固定作業容易化などが可能である。
縦枠３の断面形状、開口部１１の形状、つなぎ板９の固定方法は実施の形態１と同じである。
【００１８】
なお、本実施の形態に示した内容は、縦枠形状の種類（角形、末広形、カーブ形等）に関わらず実施可能である。
上記のように縦枠及びつなぎ板を構成することで、実施の形態１の効果だけでなく、位置ずれ防止、位置合わせの容易化など、工作性、作業性の向上を図ることが可能である。
【００１９】
実施の形態３．
図５〜８は、実施の形態３に係るエレベータ乗場三方枠の例を示す。
図５は、三方枠１３の縦枠３及びつなぎ板９との取付け部分を上方又は下方から見た際の概略断面図である。
図６は、図５のＣ部の拡大図である。
図７は、縦枠３の略Ｊ字形状端部３ｃを斜め後方（建築壁仕上げ７の側）から見た際の概略斜視図である。
図８は、本実施の形態に係るつなぎ板９の概略斜視図である。
【００２０】
本実施の形態では、縦枠３の取付け板３ｂは、略Ｊ字形状端部３ｃを有する。
また、つなぎ板９も乗場側の端部において略Ｊ字形状端部９ｃを有する。また、反対側の端部（昇降路側）に穴９ｄを備える。
そして、縦枠３の略Ｊ字形状端部３ｃとつなぎ板９の略Ｊ字形状端部９ｃが互いに相じゃくり構造のようにはめ合うことで、つなぎ板９の端部固定を可能とする。
つまり、図６に示すように、縦枠３の略Ｊ字形状端部３ｃの略Ｊ字形状における先端部分が、つなぎ板９の略Ｊ字形状端部９ｃの略Ｊ字形状における谷間部分にはめ込まれ、
縦枠３の略Ｊ字形状端部３ｃの略Ｊ字形状における谷間部分に、つなぎ板９の略Ｊ字形状端部９ｃの略Ｊ字形状における先端部分がはめ込まれる。
【００２１】
また、つなぎ板９の略Ｊ字形状端部９ｃの反対側端部には穴９ｄを設け、同様に縦枠表板にも固定用丸穴を設けておく。
縦枠の略Ｊ字形状端部３ｃに、つなぎ板の略Ｊ字形状端部９ｃを引っ掛けるとともに、反対側の穴９ｄにより、リベットもしくはねじ止めにより、堅固な構造を得る。
もちろん固定方法は溶接でも可能である。
略Ｊ字形状端部同士を引っ掛けるため、位置合わせも容易である。
また、穴９ｄを使用することで高さ方向の位置合わせも可能である。
穴９ｄは長穴でもよい。
【００２２】
なお、本実施の形態に示した内容は、縦枠形状の種類（角形、末広形、カーブ形等）に関わらず実施可能である。
【００２３】
上述した構造とすることで、縦枠取付け板３ｂに開口を設けずにつなぎ板の乗場側固定を可能とし、実施の形態１及び２に示した効果だけでなく、実施の形態１及び２の方法では開口部が見えてしまうような特殊寸法の建築壁仕上げの場合にも、適用可能である。
【００２４】
実施の形態４．
図９〜１０は、本実施の形態に係るエレベータ乗場三方枠の例を示す。
図９は、本実施の形態に係る縦枠３とつなぎ板９との取付け動作の例を示す。
図１０は、本実施の形態に係る縦枠３とつなぎ板９が取付けられている状態を上方又は下方から見た際の概略断面図である。
【００２５】
縦枠３において、１０は取付け面３ｄにおいて開口部１１の近傍に設けられている押出山（突起）である。
押出山１０が追加されている点を除けば、縦枠３の構成は実施の形態２に示したものと同様である。
また、本実施の形態では、実施の形態２に示したつなぎ板９の乗場側の端部に穴１２を設けている。
なお、押出山１０は、つなぎ板９が開口部１１に挿入された際につなぎ板９の穴１２と重なる位置に配置されている。
【００２６】
そして、本実施の形態では、つなぎ板９を開口部１１に挿入し、押出山１０と穴１２が入り込むことで、つなぎ板９のはずれ防止機構となる。
また、枠幅方向の位置合わせを容易にすることが可能となる。
縦枠３の断面形状、つなぎ板９の固定方法は実施の形態１と同じである。
【００２７】
なお、本実施の形態に示した内容は、縦枠形状の種類（角形、末広形、カーブ形等）に関わらず実施可能である。
【００２８】
上記のように縦枠を構成することで、実施の形態２に示した効果だけでなく、つなぎ板はずれ止め機構を構成することが可能である。
【００２９】
また、上記では、実施の形態２で示した略凸形状端部を有するつなぎ板９を用いる例を示したが、実施の形態１に示したつなぎ板９に穴１２を設けたものを用いてもよい。
【００３０】
実施の形態５．
図１１〜１２は、本実施の形態に係るエレベータ乗場三方枠の例を示す。
図１１は、本実施の形態に係る縦枠３とつなぎ板９との取付け動作の例を示す。
図１２は、本実施の形態に係る縦枠３とつなぎ板９が取付けられている状態を縦枠３の内側方向から見た図である。
【００３１】
縦枠３において、１４ｂははずれ止め部である。
また、つなぎ板９において、１５は切り欠き凹部である。
【００３２】
本実施の形態では、エレベータ乗場三方枠の縦枠３とつなぎ板９の取付けに関し、つなぎ板９の乗場側の端部に切り欠き凹部１５を設け、縦枠３の取付け面３ｄに略Ｌ字形状のはずれ止め部１４ｂを相互に対向する位置に２つ設ける。
つなぎ板９を各はずれ止め部１４ｂの背部にある開口部１１に挿入し切り欠き凹部１５をはめ込むことで、はずれ防止機構及び固定を構成する。
また、枠幅方向の位置合わせを容易にすることが可能となる。
縦枠３の断面形状、つなぎ板９の固定方法は実施の形態１と同じである。
【００３３】
各はずれ止め部１４ｂは、例えば、図２２（ａ）及び（ｂ）に示すように、取付け板３ｂの取付け面３ｄ側に切り込みを入れ、当該切り込み部分を取付け面３ｄの方向に突き出して成形する。
突き出された略Ｌ字形状の部分がはずれ止め部１４ｂとなり、はずれ止め部１４ａの背部の開口が開口部１１となる。
【００３４】
なお、本実施の形態に示した内容は、縦枠形状の種類（角形、末広形、カーブ形等）に関わらず実施可能である。
上記のように縦枠を構成することで、つなぎ板はずれ止め機構を構成することが可能である。
【００３５】
実施の形態６．
図１３〜１４は、本実施の形態に係るエレベータ乗場三方枠の例を示す。
図１３は、本実施の形態に係る縦枠３とつなぎ板９との取付け動作の例を示す。
図１４は、本実施の形態に係る縦枠３につなぎ板９を固定する際の動作を説明する図である。
【００３６】
縦枠３において、１６ａは略Ｌ字形状のはずれ止め部である。はずれ止め部１６ａには爪１６ｂが設けられている。
つなぎ板９において、１７は切り欠き、１８は穴である。
はずれ止め部１６ａは、取付け面３ｄの端部の一部に切り込みを入れ当該切り込み部分を取付け面３ｄの方向に突き出して成形した略Ｌ字形状の部分である。
そして、はずれ止め部１６ａの先端に設けられた爪１６ｂは、つなぎ板９が取付けられる際につなぎ板９の穴１８と重なる位置に配置されている。
【００３７】
エレベータ乗場三方枠１３の縦枠３とつなぎ板９の取付けに関し、つなぎ板９の乗場側の端部に切り欠き１７及び穴１８を設け、縦枠３の取付け面３ｄにはずれ止め部１６ａを設ける。
はずれ止め部１６ａは、先端が櫛状に分かれていて、はずれ止め部１６ａは浮いているため、つなぎ板９をはずれ止め部１６ａの背部の開口に挿入し切り欠き１７をはめ込み、櫛状の中央部である爪１６ｂを穴１８に曲げこむことで、はずれ防止機構及び固定を構成する。
つまり、つなぎ板９の切り欠き１７を有する端部がはずれ止め部１６ａの背部の開口に挿入された際に、はずれ止め部１６ａの先端の爪１６ｂがつなぎ板９の穴１８に挿入され、マイナスドライバ１００等を操作することで、爪１６ｂがつなぎ板９の穴１８から抜けない方向に曲げられることにより取付け板３ｂとつなぎ板９とが固定される。
図１４（ａ）及び（ｂ）に示すように、穴１８の隙間からマイナスドライバ１００の先端を入れて、図１４（ｃ）に示すように中央の爪１６ｂを曲げて爪１６ｂが穴１８から抜けないようにする。
【００３８】
また、本実施の形態の構成により、枠幅方向の位置合わせを容易にすることが可能となる。
縦枠３の断面形状、つなぎ板９の固定方法は実施の形態１と同じである。
【００３９】
なお、本実施の形態に示した内容は、縦枠形状の種類（角形、末広形、カーブ形等）に関わらず実施可能である。
上記のように縦枠を構成することで、つなぎ板はずれ止め機構を構成することが可能である。
【００４０】
実施の形態７．
図１５〜１６は、本実施の形態に係るエレベータ乗場三方枠の例を示す。
図１５は、本実施の形態に係る縦枠３とつなぎ板９との取付け動作の例を示す。
図１６は、本実施の形態に係る縦枠３につなぎ板９を固定する際の動作を説明する図である。
【００４１】
つなぎ板９において、１９は穴である。
縦枠３において、２０ははずれ止め用の爪である。
各爪２０は、つなぎ板９が取付けられる際につなぎ板９の穴１９と重なる位置に配置され、突起している。
【００４２】
エレベータ乗場三方枠１３の縦枠３とつなぎ板９との取付けに関し、つなぎ板９の乗場側の端部に穴１９を設け、縦枠３の取付け面３ｄにはずれ止め用の爪２０を設ける。
はずれ止め用爪２０は、縦枠内部に切り込み状（取付け板３ｂをコの字に切り欠いて、切欠き部分を内側に折り起こして形成）に構成されている。
つなぎ板９の穴１９をはずれ止め用の爪２０にはめ込み、モンキーレンチ２００等の工具でひねることで、はずれ防止機構及び固定を構成する。
つまり、つなぎ板９の端部が取付け面３ｄに配置された際に、爪２０がつなぎ板９の穴１９に挿入され爪２０がつなぎ板９の穴１９から抜けない方向に曲げられることにより取付け板３ｂとつなぎ板９とが固定される。
【００４３】
また、本実施の形態の構成により、枠幅方向の位置合わせを容易にすることが可能となる。
縦枠３の断面形状、つなぎ板９の固定方法は実施の形態１と同じである。
【００４４】
なお、本実施の形態に示した内容は、縦枠形状の種類（角形、末広形、カーブ形等）に関わらず実施可能である。
上記のように縦枠を構成することで、つなぎ板はずれ止め機構を構成することが可能である。
【００４５】
実施の形態８．
図１７〜１８は、本実施の形態に係るエレベータ乗場三方枠の例を示す。
図１７は、本実施の形態に係る縦枠３とつなぎ板９との取付け動作の例を示す。
図１８は、本実施の形態に係る縦枠３につなぎ板９を固定する際の動作を説明する図である。
【００４６】
つなぎ板９において、２１ａは略凹形状切り欠き部であり、２１ｂははずれ止め用の爪である。爪２１ｂは、略凹形状切り欠き部２１ａの中間の突出部分である。
また、本実施の形態では、実施の形態３に示した構成と同様に、縦枠３の取付け板３ｂは略Ｊ字形状端部３ｃを備え、つなぎ板９は乗場側の端部に略Ｊ字形状端部９ｃを備える。
なお、本実施の形態では、取付け板３ｂの略Ｊ字形状端部３ｃは取付け板側はめ合わせ部の例であり、つなぎ板９の略Ｊ字形状端部９ｃはつなぎ板側はめ合わせ部の例である。
また、爪２１ｂは、縦枠３の略Ｊ字形状端部３ｃとつなぎ板９の略Ｊ字形状端部９ｃがはめ合わされた際に、縦枠３の略Ｊ字形状端部３ｃの方向（建築壁仕上げ７の側面の方向）に曲げられるとつなぎ板９の略Ｊ字形状端部９ｃに当接する位置に配置されている。ここで、当接とは、突き当たった状態で接することをいう。
【００４７】
本実施の形態では、実施の形態３と同様に、縦枠３の略Ｊ字形状端部３ｃとつなぎ板９の略Ｊ字形状端部９ｃをはめ合わせるとともに、はずれ止め用の爪２１ｂをマイナスドライバ１００等の工具で起こすことで、はずれ防止機構及び固定を構成する。
つまり、爪２１ｂは、縦枠３の略Ｊ字形状端部３ｃとつなぎ板９の略Ｊ字形状端部９ｃがはめ合わされた際に縦枠３の略Ｊ字形状端部３ｃの方向（建築壁仕上げ７の側面の方向）に曲げられるとつなぎ板９の略Ｊ字形状端部９ｃに当接する位置に配置されているため、図１８に示すように、つなぎ板９の略Ｊ字形状端部９ｃと曲げられた爪２１ｂが、縦枠３の略Ｊ字形状端部３ｃを挟み込むことで、取付け板３ｂとつなぎ板９とが固定される。
なお、図１８（ａ）に示すように、略凹形状切り欠き部２１ａからマイナスドライバ１００の先端を入れて、図１８（ｂ）に示すように中央の爪２１ｂを曲げる。
【００４８】
また、本実施の形態の構成により、枠幅方向の位置合わせを容易にすることが可能となる。
縦枠３の断面形状、つなぎ板９の固定方法は実施の形態１と同じである。
【００４９】
なお、本実施の形態に示した内容は、縦枠形状の種類（角形、末広形、カーブ形等）に関わらず実施可能である。
【００５０】
上記のように縦枠を構成することで、つなぎ板はずれ止め機構を構成することが可能である。
【００５１】
実施の形態９．
図１９〜２０は、本実施の形態に係るエレベータ乗場三方枠の例を示す図である。
図１９は、本実施の形態に係る縦枠３とつなぎ板９との取付け動作の例を示す。
図２０は、本実施の形態に係る縦枠３につなぎ板９を固定する際の動作を説明する図である。
【００５２】
つなぎ板９において、２２ａは略逆凹形状の逆凹形状切り欠き部であり、２２ｂははずれ止め用の爪である。爪２２ｂは、逆凹形状切り欠き部２２ａの中間の突出部分である。
また、逆凹形状切り欠き部２２ａにおける上面（凹形状における底面）が縦枠３のはめ合わせ部２３とはめ合わされる。逆凹形状切り欠き部２２ａにおける上面（凹形状における底面）は、つなぎ板側はめ合わせ部の例である。
また、縦枠３の取付け面３ｄにおいて、２３は略レの字形状のはめ合わせ部である。はめ合わせ部２３は、取付け板側はめ合わせ部の例である。
また、爪２２ｂは、はめ合わせ部２３の略レの字形状における谷間部分につなぎ板９の逆凹形状切り欠き部２２ａにおける上面（凹形状における底面）がはめ込まれた際に、縦枠の取付け板３ｂの外側方向（建築壁仕上げ７の側面の方向）に曲げられると取付け板３ｂに当接する位置に配置されている。ここで、当接とは、突き当たった状態で接することをいう。
【００５３】
本実施の形態では、エレベータ乗場三方枠の縦枠３とつなぎ板９の固定に関し、つなぎ板９の乗場側の端部にはずれ止め用の爪２２ｂを設け、縦枠３の取付け面３ｄにはずれ止め用のはめ合わせ部２３を設けており、また、はずれ止め用の爪２２ｂは、縦枠内部に切り込み状に構成（取付け板３ｂをコの字に切り欠いて、切欠き部分を内側に折り起こして形成）されているので、図２０（ａ）に示すように、つなぎ板９の逆凹形状切り欠き部２２ａにおける上面（凹形状における底面）をはめ合わせ部２３の略レの字形状における谷間部にはめ込み、図２０（ｂ）に示すようにはずれ止め用の爪２２ｂをマイナスドライバ１００等の工具でひねることで、はずれ防止機構及び固定を構成する。
つまり、爪２２ｂは、はめ合わせ部２３の略レの字形状における谷間部分につなぎ板９の逆凹形状切り欠き部２２ａにおける上面（凹形状における底面）がはめ込まれた際に縦枠の取付け板３ｂの外側方向（建築壁仕上げ７の側面の方向）に曲げられると取付け板３ｂに当接する位置に配置されているため、図２０（ｂ）に示すように、逆凹形状切り欠き部２２ａにおける上面（凹形状における底面）と曲げられた爪２２ｂが、略レの字形状のはめ合わせ部２３を挟み込むことで、取付け板３ｂとつなぎ板９とが固定される。
なお、図１９及び図２０（ａ）に示すように、逆凹形状切り欠き部２２ａからマイナスドライバ１００の先端を入れて、中央の爪２２ｂを曲げる。
【００５４】
また、本実施の形態の構成により、枠幅方向の位置合わせを容易にすることが可能となる。
縦枠３の断面形状、つなぎ板９の固定方法は実施の形態１と同じである。
【００５５】
なお、本実施の形態に示した内容は、縦枠形状の種類（角形、末広形、カーブ形等）に関わらず実施可能である。
上記のように縦枠を構成することで、つなぎ板はずれ止め機構を構成することが可能である。
【００５６】
ここで、実施の形態１〜９に示したエレベータ乗場三方枠の主な特徴を以下に述べる。
【００５７】
実施の形態１では、エレベータ乗場三方枠の縦枠とつなぎ板の固定部に、表板側に開口部を設けて、つなぎ板をその開口部に挿入して、縦枠とつなぎ板を固定するエレベータ乗場三方枠について説明した。
【００５８】
実施の形態２では、実施の形態１におけるエレベータ乗場三方枠において、そのつなぎ板形状の端部を凸形にしたエレベータ乗場三方枠について説明した。
【００５９】
実施の形態３では、エレベータ乗場三方枠の縦枠とつなぎ板の固定部に、縦板側とつなぎ板端部を互いにコの字型に曲げはめあうことで、縦枠とつなぎ板を固定するエレベータ乗場三方枠について説明した。
【００６０】
実施の形態４では、実施の形態２におけるエレベータ乗場三方枠において、縦枠や板側開口部近傍に押し出し山を設けて、つなぎ板側の穴にはめ込むエレベータ乗場三方枠について説明した。
【００６１】
実施の形態５では、エレベータ乗場三方枠の縦枠とつなぎ板の固定部に、縦枠表板側にはずれ止め用爪と、つなぎ板端部切り欠き凹を互いはめあうことで、縦枠とつなぎ板を固定するエレベータ乗場三方枠について説明した。
【００６２】
実施の形態６では、エレベータ乗場三方枠の縦枠とつなぎ板の固定部に、縦枠表板側に櫛状のはずれ止め用爪を曲げ、つなぎ板端部の穴とはめあうことで、縦枠とつなぎ板を固定するエレベータ乗場三方枠について説明した。
【００６３】
実施の形態７では、エレベータ乗場三方枠の縦枠とつなぎ板の固定部に、縦枠表板側にはずれ止め用爪を切り起こし、つなぎ板端部の穴とをはめあうことで、縦枠とつなぎ板を固定するエレベータ乗場三方枠について説明した。
【００６４】
実施の形態８では、実施の形態３におけるエレベータ乗場三方枠において、つなぎ板側のはずれ止め用爪を起こすことで、縦枠とはめ込むエレベータ乗場三方枠について説明した。
【００６５】
実施の形態９では、エレベータ乗場三方枠の縦枠とつなぎ板の固定部に、縦枠表板側にはずれ止め用突起を切り起こし、つなぎ板端部のはずれ止め用爪とをはめあうことで、縦枠とつなぎ板を固定するエレベータ乗場三方枠について説明した。
【図面の簡単な説明】
【００６６】
【図１】実施の形態１に係るエレベータ乗場三方枠縦枠の詳細図。
【図２】実施の形態１に係るエレベータ乗場三方枠縦枠のつなぎ板固定部斜視図。
【図３】実施の形態２に係るエレベータ乗場三方枠縦枠のつなぎ板固定部斜視図。
【図４】実施の形態２に係るエレベータ乗場三方枠縦枠のつなぎ板端部詳細図。
【図５】実施の形態３に係るエレベータ乗場三方枠の側部断面図。
【図６】実施の形態３に係るエレベータ乗場三方枠のＣ部詳細図。
【図７】実施の形態３に係るエレベータ乗場三方枠の縦枠表板斜視図。
【図８】実施の形態３に係るエレベータ乗場三方枠のつなぎ板斜視図。
【図９】実施の形態４に係るエレベータ乗場三方枠のつなぎ板はめ込み前の詳細図。
【図１０】実施の形態４に係るエレベータ乗場三方枠のつなぎ板はめ込み後の詳細図。
【図１１】実施の形態４に係るエレベータ乗場三方枠のつなぎ板はめ込み前の詳細図。
【図１２】実施の形態５に係るエレベータ乗場三方枠のつなぎ板はめ込み後の詳細図。
【図１３】実施の形態６に係るエレベータ乗場三方枠のつなぎ板はめ込み前の詳細図。
【図１４】実施の形態６に係るエレベータ乗場三方枠のつなぎ板はめ込み後の詳細図、作業要領図。
【図１５】実施の形態７に係るエレベータ乗場三方枠のつなぎ板はめ込み前の詳細図。
【図１６】実施の形態７に係るエレベータ乗場三方枠のつなぎ板はめ込み後の詳細図、作業要領図。
【図１７】実施の形態８に係るエレベータ乗場三方枠のつなぎ板はめ込み前の詳細図。
【図１８】実施の形態８に係るエレベータ乗場三方枠のつなぎ板はめ込み後の詳細図、作業要領図。
【図１９】実施の形態９に係るエレベータ乗場三方枠のつなぎ板はめ込み前の詳細図。
【図２０】実施の形態９に係るエレベータ乗場三方枠のつなぎ板はめ込み後の詳細図、作業要領図。
【図２１】実施の形態１に係るエレベータ乗場三方枠の縦枠の開口部の生成手順を示す図。
【図２２】実施の形態４に係るエレベータ乗場三方枠の縦枠の開口部の生成手順を示す図。
【図２３】従来例であるエレベータ乗場三方枠の正面図。
【図２４】従来例であるエレベータ乗場三方枠の平面断面図（Ｄ−Ｄ）。
【図２５】従来例であるエレベータ乗場三方枠のＥ部詳細図。
【図２６】従来例であるエレベータ乗場三方枠の縦枠断面図。
【図２７】従来例であるエレベータ乗場三方枠つなぎ板平面図。
【符号の説明】
【００６７】
１  建築壁、２  乗場穴、３  縦枠、３ｂ  取付け板、３ｃ  略Ｊ字形状端部、３ｄ  取付け面、４  つなぎ板、５  鉄筋、６  鉄筋の端材、７  建築壁仕上げ、８  ヘンロブリベット、９  つなぎ板、９ａ  つなぎ板段付き部、９ｂ  つなぎ板段付き部、９ｃ  略Ｊ字形状端部、９ｄ  穴、１０  押出山、１１  開口部、１２  穴、１３  三方枠、１４ａ  はずれ止め部、１４ｂ  はずれ止め部、１５  切り欠き凹部、１６ａ  はずれ止め部、１６ｂ  爪、１７  切り欠き、１８  穴、１９  穴、２０  爪、２１ａ  略凹形状切り欠き部、２１ｂ  爪、２２ａ  逆凹形状切り欠き部、２２ｂ  爪、２３  はめ合わせ部、１００  マイナスドライバ、２００  モンキーレンチ。
【図１】
0005153384.tif 000002
【図２】
0005153384.tif 000003
【図３】
0005153384.tif 000004
【図４】
0005153384.tif 000005
【図５】
0005153384.tif 000006
【図６】
0005153384.tif 000007
【図７】
0005153384.tif 000008
【図８】
0005153384.tif 000009
【図９】
0005153384.tif 000010
【図１０】
0005153384.tif 000011
【図１１】
0005153384.tif 000012
【図１２】
0005153384.tif 000013
【図１３】
0005153384.tif 000014
【図１４】
0005153384.tif 000015
【図１５】
0005153384.tif 000016
【図１６】
0005153384.tif 000017
【図１７】
0005153384.tif 000018
【図１８】
0005153384.tif 000019
【図１９】
0005153384.tif 000020
【図２０】
0005153384.tif 000021
【図２１】
0005153384.tif 000022
【図２２】
0005153384.tif 000023
【図２３】
0005153384.tif 000024
【図２４】
0005153384.tif 000025
【図２５】
0005153384.tif 000026
【図２６】
0005153384.tif 000027
【図２７】
0005153384.tif 000028